(57)【要約】【課題】  ＰＤバランスのずれの発生を最小に抑え、高精度のスプリッタ取付け基準面を形成すること。【解決手段】  光学ベースと、光学ベース中に取り付けられて、レーザビームの光路中に配置されたレーザスプリッタを含む光学部品とを有する、光ピックアップに於いて、ビームスプリッタを搭載する部分における光学ベースの幅方向の断面形状が、ビームスプリッタを中心として実質的に対称形状をしている。ビームスプリッタは、光学ベースの幅方向に延在する平坦な被支持面を持ち、光学ベースは、被支持面に対向する支持面と、支持面に形成され被支持面を支持する３つの凸部とを有する。光学ベースの上面及び下面には、ビームスプリッタを光学ベースに固定するための接着剤を塗布ための塗布孔が形成されている。【選択図】      図６
2008130164.tif 000002
【特許請求の範囲】
【請求項１】
光学ベースと、該光学ベースの外側壁に取付けられ、レーザビームを出射するレーザ光源と、前記光学ベース中に取り付けられて、前記レーザビームの光路中に配置されたレーザスプリッタを含む光学部品とを有する、光ピックアップに於いて、
前記ビームスプリッタを搭載する部分における前記光学ベースの幅方向の断面形状が、前記ビームスプリッタを中心として実質的に対称形状をしていることを特徴とする光ピックアップ。
【請求項２】
前記ビームスプリッタは、前記光学ベースの幅方向に延在する平坦な被支持面を持ち、前記光学ベースは、前記被支持面に対向する支持面と、前記支持面に形成され前記被支持面を支持する３つの凸部とを有する、請求項１に記載の光ピックアップ。
【請求項３】
前記光学ベースの上面及び下面には、前記ビームスプリッタを前記光学ベースに固定するための接着剤を塗布ための塗布孔が形成されている、請求項１又は２に記載の光ピックアップ。
【発明の詳細な説明】
【技術分野】
【０００１】
本発明は、光ディスクドライブに用いられ、光ディスクにレーザビームを照射してデータを記録・再生する光ピックアップに関し、特に、レーザビームの光路に配置されたビームスプリッタの取付構造に関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｒａｙディスク、ＨＤ−ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザビームを照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザビームを使い分けて記録・再生を行うものであり、「２波長対応光ピックアップ」と呼ばれている。
【０００４】
この種の２波長対応光ピックアップの一種として、ＣＤ用の長波長レーザ光（第１のレーザ光）を出射するためのＣＤ用の第１のレーザダイオードとＤＶＤ用の短波長レーザ光（第２のレーザ光）を出射するためのＤＶＤ用の第２のレーザダイオードと、を備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。この１チップ型レーザダイオードは、第１のレーザ光を出射する第１の発光点と第２のレーザ光を出射する第２の発光点とは所定距離（例えば、１００μｍ）だけ離れているので、第１のレーザビームと第２のレーザビームとは互いに所定距離だけ離間して平行に出射されることになる。
【０００６】
さらに、最近のＤＶＤ装置においては、ＤＶＤやＣＤばかりでなくＨＤ−ＤＶＤ（High Definition ＤＶＤ）に対しても記録・再生可能にするために特殊な光ピックアップを備えた光ディスクドライブを搭載したものも開発されている。そのような特殊な光ピックアップは、ＣＤ用の長波長レーザ光（波長約７８０ｎｍ）とＤＶＤ用の中波長レーザ光（波長約６５０ｎｍ）とＨＤ−ＤＶＤ用の短波長レーザ光（波長約４１０ｎｍ）との３種類のレーザ光を使い分けて記録・再生を行うものであり、「３波長対応光ピックアップ」と呼ばれている。
【０００７】
このような３波長対応光ピックアップとして、上記特許文献２に開示されているような、ＣＤ及びＤＶＤ用の１チップ型レーザダイオード（２波長１パッケージレーザダイオード）と、ＨＤ−ＤＶＤ用の青色レーザダイオードとを使用することができる。尚、以下ではＨＤ−ＤＶＤを単にＨＤとも略称する。
【０００８】
一般に、光ピックアップは、レーザビームを出射するレーザ光源と、この出射されたレーザビームを光ディスクへ導くとともに、その反射光を光検出器へ導く光学系とを備えている。光学系は、ビームスプリッタを含む光学部品から構成されている。そして、この光学系には、光ディスクに対向するように配置される対物レンズが含まれている。レーザ光源および光検出器は、光学ベースの外側壁に取り付けられ、対物レンズを除く光学系は光学ベース内に取り付けられる。
【０００９】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１０】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数本のサスペンションワイヤによってダンパベースで弾性支持している（例えば、特許文献３参照）。
【００１１】
ところで、対物レンズ駆動装置は、「対称構造のもの」と「非対称構造のもの」とに分類される。ここで、対称構造の対物レンズ駆動装置とは、対物レンズを中心としてコイルやマグネットを含む磁気回路が対称に配置されるものをいう。一方、非対称構造の対物レンズ駆動装置とは、対物レンズに対してコイルやマグネットを含む磁気回路が非対称に配置されるものをいう。
【００１２】
対称構造の対物レンズ駆動装置では、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、従来の対称構造の対物レンズ駆動装置は、対物レンズの位置及び傾きを微調整することができる（例えば、特許文献４参照。）。尚、トラッキングコイル及びチルティングコイルは、対物レンズホルダの側面に貼り付ける必要上、空芯コイルで構成されている。
【００１３】
対称構造の対物レンズ駆動装置においては、複数本のサスペンションワイヤは、非駆動状態において水平になるように設けられている。詳述すると、対物レンズ駆動装置は、対物レンズを保持する対物レンズホルダを含む可動部分とダンパベースを含む固定部分とに分けられる。可動部分は複数本のサスペンションワイヤによってダンパベースで支持される。複数本のサスペンションワイヤは、ダンパベースと対物レンズホルダとの間で水平面と平行になるように設けられている。
【００１４】
前述したように、光ピックアップでは、レーザビームを光ディスク上へ照射し、ディスク情報を含めた戻り光を光検出器に受光させてデータを再生する。その際に、光検出器の中心に戻り光が照射されるように、レーザビームの光路に配置された光学部品を光学ベースに対して調整・固定することが必要になる。しかしながら、信頼性等でその位置がずれることがあり、光ピックアップの特性を劣化させてしまう可能性がある。ここで、この技術分野において、光検出器の中心からの位置ずれをＰＤバランスと呼んでいる。
【００１５】
光ピックアップの中で、ＰＤバランスの影響が一番大きい光学部品は、ビームスプリッタである。従来の光ピックアップでは、光学ベースの片面（裏面側）からスプリッタ挿入溝にビームスプリッタと固定バネ（板バネ）とを挿入して、接着剤にてビームスプリッタを光学ベースに固定している（例えば、特許文献５参照）。
【００１６】
【特許文献１】特開２００３−１７３５６３号公報
【特許文献２】特開平１１−１４９６５２号公報
【特許文献３】特開２００３−１９６８６５号公報
【特許文献４】特開２００１−９３１７７号公報
【特許文献５】特開２００４−３４２２２９号公報
【発明の開示】
【発明が解決しようとする課題】
【００１７】
しかしながら、上述した特許文献５に開示されているような、ビームスプリッタの固定方法では、光学ベースがその幅方向において非対称形状になるため、温度等での光学ベースの変形も非対称になる。その結果、たとえ製造時点ではＰＤバランスが良くても、動作中（使用中）においてＰＤバランスが崩れてしまい、光ピックアップの信頼性に対して悪影響が発生し易い形状である。また、光学ベースを作製するために使用される金型が開く摺動方向と平行な方向に延在して、光学ベースにビームスプリッタの取付け基準面が形成されるため、精度の高いビームスプリッタの基準面を形成することが難しいという問題もある。
【００１８】
そこで、本発明の課題は、ＰＤバランスのずれの発生を最小に抑えることができる光ピックアップを提供することにある。
【００１９】
本発明の他の課題は、高精度のスプリッタ取付け基準面を形成することができる光ピックアップを提供することにある。
【課題を解決するための手段】
【００２０】
本発明によれば、光学ベース（４０）と、該光学ベースの外側壁に取付けられ、レーザビームを出射するレーザ光源（１１、１２）と、前記光学ベース中に取り付けられて、前記レーザビームの光路中に配置されたレーザスプリッタ（２３）を含む光学部品とを有する、光ピックアップに於いて、前記ビームスプリッタ（２３）を搭載する部分における前記光学ベースの幅方向（Ｆ）の断面形状が、前記ビームスプリッタ（２３）を中心として実質的に対称形状をしていることを特徴とする光ピックアップが得られる。
【００２１】
上記光ピックアップ（１０）において、前記ビームスプリッタ（２３）は、前記光学ベース（４０）の幅方向（Ｆ）に延在する平坦な被支持面（２３ａ）を持ち、前記光学ベース（４０）は、前記被支持面に対向する支持面（４３）と、前記支持面に形成され前記被支持面を支持する３つの凸部（４３１、４３２、４３３）とを有することが望ましい。また、前記光学ベース（４０）の上面（４０ａ）及び下面（４０ｂ）には、前記ビームスプリッタ（２３）を前記光学ベース（４０）に固定するための接着剤（５１、５２）を塗布するための塗布孔（４６、４７）が形成されていて良い。
【００２２】
なお、上記括弧内の参照符号は、単に本発明の理解を容易にするために付したものであって、何ら本発明を限定するものではない。
【発明の効果】
【００２３】
ビームスプリッタを搭載する部分における光学ベースの幅方向の断面形状が、ビームスプリッタを中心として実質的に対称形状をしているので、ＰＤバランスのずれの発生を最小に抑えることができる。また、ビームスプリッタは、光学ベースの幅方向に延在する平坦な被支持面を持ち、光学ベースは、被支持面に対向する支持面と、支持面に形成され被支持面を支持する３つの凸部とを有するので、高精度のスプリッタ取付け基準面を形成することができる。
【発明を実施するための最良の形態】
【００２４】
以下、図面を参照して本発明の実施の形態について詳細に説明する。
【００２５】
前述したように、光ディスクドライブにおいては、ＤＶＤやＣＤばかりでなくＨＤ−ＤＶＤ（High Definition ＤＶＤ）に対しても記録・再生可能にするために特殊な光ピックアップを搭載したものが開発されている。そのような特殊な光ピックアップは、ＣＤ用の長波長レーザビーム（波長約７８０ｎｍ）とＤＶＤ用の中波長レーザビーム（波長約６５０ｎｍ）とＨＤ−ＤＶＤ（ＨＤ）用の短波長レーザビーム（波長約４１０ｎｍ）との３種類のレーザビームを使い分けて記録・再生を行うものであり、「３波長対応光ピックアップ」と呼ばれている。
【００２６】
図１は本発明に係る３波長対応光ピックアップ１０の光学系のシステム構成図である。図示の３波長対応光ピックアップ１０は、レーザビームを出射するレーザ光源として１チップ型レーザダイオード１１と、青色レーザダイオード１２とを有する。
【００２７】
１チップ型レーザダイオード１１は、第１のレーザダイオード（図示せず）と第２のレーザダイオード（図示せず）とを１部品（１チップ）で構成したものである。第１のレーザダイオード（第１の発光点）と第２のレーザダイオード（第２の発光点）とは所定距離（例えば、１００μｍ）だけ離れている。第１のレーザダイオードは、第１の波長としてＣＤ用の波長約７８０ｎｍを持つ第１のレーザビームを出射するレーザダイオードであって、「ＣＤ−ＬＤ」と略称される。第２のレーザダイオードは、第２の波長としてＤＶＤ用の波長約６５０ｎｍを持つ第２のレーザビームを出射するレーザダイオードであって、「ＤＶＤ−ＬＤ」と略称される。青色レーザダイオード１２は、第３のレーザダイオードとも呼ばれ、第３の波長としてＨＤ−ＤＶＤ（ＨＤ）用の波長約４１０ｎｍを持つ第３のレーザビームを出射するレーザダイオードであって、「ＨＤ−ＬＤ」と略称される。
【００２８】
３波長対応光ピックアップ１０は、これら第１乃至第３のレーザビームのいずれか１つを光ディスク（図示せず）へ導くとともに、その反射光を光検出器３５（後述する）へ導く光学系とを備えている。そして、この光学系には、光ディスクに対向するように配置される対物レンズ３１が含まれている。レーザ光源１１、１２および光検出器３５は、光学ベース（後述する）の外側壁に取り付けられ、対物レンズ３１を除く光学系は光学ベース内に取り付けられる。
【００２９】
一方、対物レンズ３１は、対物レンズ駆動装置（光ピックアップアクチュエータ）（図示せず）に搭載される。この技術分野において周知のように、対物レンズ駆動装置は、対物レンズ３１を保持する対物レンズホルダを、複数本のサスペンションワイヤによってダンパベースで弾性支持する。
【００３０】
図示の３波長対応光ピックアップ１０は、光学系として、第１および第２の回折格子（グレーティング）１６および１７と、第１のビームスプリッタ２１と、第２のビームスプリッタ２３と、立上げミラー（全反射ミラー）２７と、コリメータレンズ２９と、上記対物レンズ３１と、センサレンズ（検出レンズ）３３とを備えている。
【００３１】
第１の回折格子１６、第１のビームスプリッタ２１、第２のビームスプリッタ２３、立上げミラー２７、コリメータレンズ２９、対物レンズ３１、およびセンサレンズ３３の組み合わせは、第１または第２のレーザダイオードから出射された第１または第２のレーザビームを光ディスク（ＣＤまたはＤＶＤ）側へ導くと共に、この光ディスク側から反射された第１または第２の戻り光を透過して光検出器３５へ導く第１または第２の光学系として働く。同様に、第２の回折格子１７、第１のビームスプリッタ２１、第２のビームスプリッタ２３、立上げミラー２７、コリメータレンズ２９、対物レンズ３１、およびセンサレンズ３３の組み合わせは、青色レーザダイオード（第３のレーザダイオード）から出射された第３のレーザビームを光ディスク（ＨＤ―ＤＶＤ）側へ導くと共に、この光ディスク側から反射された第３の戻り光を透過して光検出器３５へ導く第３の光学系として働く。
【００３２】
ここで、青色レーザダイオード（第３のレーザダイオード）１２は、光軸中心に配置され、１チップ型レーザダイオード１１内の第２のレーザダイオードは、光軸中心に配置されている。従って、１チップ型レーザダイオード１１内の第１のレーザダイオードは、光軸からずれた状態で配置されている。そこで、図示の光検出器３５は、ＣＤからの第１の戻り光を光軸からずれたままで受光するように構成されている。
【００３３】
図２に図１に示した３波長対応光ピックアップに使用されるフォトディテクタ３５の構成を示す。フォトディテクタ３５は、第１の戻り光を受光するための第１の受光部３５−１と、第２または第３の戻り光を受光するための第２の受光部３５−２とを有する。第１の受光部３５−１は、中央の光束（メインビーム）を受光するための４分割フォトダイオードａ、ｂ、ｃ、ｄと、両側の２本の光束（サブビーム）を受光するための４つのフォトダイオードｅ、ｆ、ｇ、ｈとから構成される。第２の受光部３５−２は、中央の光束（メインビーム）を受光するための４分割フォトダイオードＡ、Ｂ、Ｃ、Ｄと、一方のサブビーム（先行サブビーム）を受光するための４つのフォトダイオードＥ１、Ｆ１、Ｇ１、Ｈ１と、他方のサブビーム（後行サブビーム）を受光するための４つのフォトダイオードＥ２、Ｆ２、Ｇ２、Ｈ２とから構成されている。
【００３４】
次に、図１に示した３波長対応光ピックアップの動作について説明する。この技術分野において周知のように、３波長対応光ビップアップは、書込みモードと再生モードとのいずれか一方のモードで動作するが、ここでは、再生モードの場合の動作について説明する。
【００３５】
最初に、光ディスクとしてＣＤを使用した場合の動作について説明する。この場合、１チップ型レーザダイオード１１内の第１のレーザダイオード（ＣＤ−ＬＤ）のみが動作状態に置かれ、１チップ型レーザダイオード１１内の第２のレーザダイオード（ＤＶＤ−ＬＤ）および青色レーザダイオード（第３のレーザダイオード）１２（ＨＤ−ＬＤ）は非動作状態に置かれる。
【００３６】
第１のレーザダイオード（ＣＤ−ＬＤ）から出射された第１のレーザビームは、第１の回折格子１６を通り、ここでトラッキング制御、フォーカス制御、およびチルティング制御を行うために３本のレーザビームに分離される。その後、第１のビームスプリッタ２１を透過し、第２のビームスプリッタ２３に入射する。この入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＣＤ）の記録面に照射される（集光される）。
【００３７】
この光ディスク（ＣＤ）の記録面からの反射光（第１の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第１の受光部３５−１（図２）に集光する（で受光される）。
【００３８】
次に、光ディスクとしてＤＶＤを使用した場合の動作について説明する。この場合、１チップ型レーザダイオード１１内の第２のレーザダイオード（ＤＶＤ−ＬＤ）のみが動作状態に置かれ、１チップ型レーザダイオード１１内の第１のレーザダイオード（ＣＤ−ＬＤ）および青色レーザダイオード（第３のレーザダイオード）１２（ＨＤ−ＬＤ）は非動作状態に置かれる。
【００３９】
第２のレーザダイオード（ＤＶＤ−ＬＤ）から出射された第２のレーザビームは、第１の回折格子１６を通り、その後、第１のビームスプリッタ２１を透過し、第２のビームスプリッタ２３に入射する。この入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＤＶＤ）の記録面に照射される（集光される）。
【００４０】
この光ディスク（ＤＶＤ）の記録面からの反射光（第２の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４１】
最後に、光ディスクとしてＨＤ−ＤＶＤを使用した場合の動作について説明する。この場合、青色レーザダイオード（第３のレーザダイオード）１２（ＨＤ−ＬＤ）のみが動作状態に置かれ、１チップ型レーザダイオード１１内の第１のレーザダイオード（ＣＤ−ＬＤ）および第２のレーザダイオード（ＤＶＤ−ＬＤ）非動作状態に置かれる。
【００４２】
青色レーザダイオード（第３のレーザダイオード）１２（ＨＤ−ＬＤ）から出射された第３のレーザビームは、第２の回折格子１７を通り、ここでトラッキング制御、フォーカス制御、およびチルティング制御を行うために３本のレーザビームに分離される。その後、これら３本のレーザビームは第１のビームスプリッタ２１で反射され、第２のビームスプリッタ２３に入射する。この入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＨＤ−ＤＶＤ）の記録面に照射される（集光される）。
【００４３】
この光ディスク（ＨＤ−ＤＶＤ）の記録面からの反射光（第３の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４４】
図３乃至図７を参照して、３波長対応光ピックアップ１０について更に説明する。以下では、３波長対応光ピックアップ１０を単に光ピックアップと呼ぶことにする。尚、図３乃至図７では、図１における立上げミラー２７における反射方向が逆方向になっていることに注意されたい。
【００４５】
図３は第２のビームスプリッタ２３を分離した状態で、光ピックアップ１０を裏面側から見た部分斜視図である。図４は、光ピックアップ１０を表面側から見た部分斜視図である。図５は光ピックアップ１０の部分水平断面図である。図６は第２のビームスプリッタ２３を搭載する部分における光学ベースの幅方向の断面図である。図７は光ピックアップ１０の部分側面図である。
【００４６】
光ピックアップ１０は、光学ベース４０を有する。この光学ベース４０は、その幅方向で互いに対向する上面４０ａと下面４０ｂとを持つ。光学ベース４０は、光ディスクドライブに導入された光ディスクの半径方向（トラッキング方向Ｔｒ）に移動可能にガイドバー（図示せず）に取り付けられている。換言すれば、光ピックアップ１０は、ビップアップ駆動部（図示せず）によって所定のディスク半径方向（トラッキング方向Ｔｒ）にスレッド移動させられる。ビップアップ駆動部は、上記ガイドバーとして、光ピックアップ１０をその両側で所定のディスク半径方向（トラッキング方向Ｔｒ）に対してスレッド移動可能に支持する主軸（図示せず）および副軸（図示せず）を備えている。主軸および副軸の両方とも、ディスク半径方向（トラッキング方向Ｔｒ）に対して実質的に平行となるように延在して配置されている。すなわち、主軸と副軸とは、互いに平行に配置されている。
【００４７】
光ピックアップ１０は、主軸と係合する係合部（係合孔）（図示せず）と、副軸によって摺動可能に支持される、断面コ字型の摺接部６２とを有する。
【００４８】
光学ベース４０にはスプリッタ挿入孔４２が形成されている。スプリッタ挿入孔４２は、光学ベース４０の側壁から開口している。図７に示されるように、スプリッタ挿入孔４２を規定する側壁４３は平坦な支持面を持つ。この側壁（支持面）４３には３つの凸部４３１、４３２、４３３が形成されている。これら３つの凸部４３１〜４３３は、ビームスプリッタ取付け基準面を規定する。
【００４９】
したがって、第２のビームスプリッタ２３は、図３の点線矢印で示されるように、光学ベース４０の側方から挿入される。
【００５０】
第２のビームスプリッタ２３は、板状の光学部品であって、光軸に対して４５度の角度をもって傾斜した被支持面２３ａを持つ。したがって、第２のビームスプリッタ２３の被支持面２３ａは、上記光学ベース４０の支持面４３に形成された３つの凸部４３１〜４３３によって３点支持される。
【００５１】
図６に示されるように、第２のビームスプリッタ２３を搭載する部分における光学ベース４０の幅方向（フォーカシング方向Ｆ）の断面形状は、第２のビームスプリッタ２３を中心として実質的に対称形状をしている。すなわち、第２のビームスプリッタ２３を搭載（支持）する、光学ベース４０の上面４０ａ側の厚みＬＵと、光学ベース４０の下面４０ｂ側の厚みＬＬとは実質的に等しくなっている。
【００５２】
また、図４および図６に示されるように、光学ベース４０の上面４０ａには、第２のビームスプリッタ２３を光学ベース４０に固定するための接着剤５１を塗布するための一対の上側塗布孔４６が形成されている。そして、図３および図６に示されるように、光学ベース４０の下面４０ｂには、第２のビームスプリッタ２３を光学ベース４０に固定するための接着剤５２を塗布するための一対の下側塗布孔４７が形成されている。
【００５３】
このような構成を有する光学ベース４０は、第２のビームスプリッタ２３を搭載する部分における幅方向の断面形状が、第２のビームスプリッタ２３を中心として実質的に対称形状をしているので、熱による変形を少なくすることができる。これにより、熱による第２のビームスプリッタ２３の変化も少なくなるので、ＰＤバランスを小さく抑えることが出来る。
【００５４】
尚、光学ベース４０は、亜鉛ダイカスト、アルミダイカスト、マグネシウムダイカストなどの金属部材により形成されているが、樹脂材料の射出成形により形成されてもよい。上記スプリッタ挿入孔４２を形成するための特定の金型としては、上述した３つの凸部４３１〜４３３に対応した３つの凹部を有するものを使用する。尚、その他の金型が光学ベース４０のその他の形状に適合した形条を持つことは勿論である。
【００５５】
このような金型を用いて金属材料（亜鉛ダイカスト、アルミダイカスト、マグネシウムダイカスト等）又は樹脂材料の成形を行うことにより、上述した形状の光学ベース４０を容易に製造することができる。上記３つの凸部４３１〜４３３で規定されるスプリッタ取付け基準面は、上記特定の金型が開く摺動方向と垂直な方向に延在するので、その精度を高くすることができる。
【００５６】
以上、本発明について一実施の形態に即して説明してきたが、本発明は上記実施の形態に限定されるものではない。例えば、上述した実施の形態では、青色レーザビーム対応の光ディスクとしてＨＤ−ＤＶＤを使用した場合を例に挙げて説明しているが、ＨＤ−ＤＶＤの代わりにＢｌｕ−ｒａｙディスクを用いても良いのは勿論である。また、上述した実施の形態では、光ピックアップとして３波長対応光ピックアップの場合を例に挙げて説明したが、それに限定されず、光学部品としてビームスプリッタを含む光学系を有する種々の光ピックアップにも適用可能なのはいうまでもない。さらに、上述した実施の形態では、接着剤を塗布するための塗布孔を光学ベースの上面及び下面に一対ずつ設けているが、塗布孔は光学ベースの上面及び下面に１個ずつ設けても良い。
【図面の簡単な説明】
【００５７】
【図１】本発明の一実施の形態に係る３波長対応光ピックアップの光学系のシステム構成図（光路図）である。
【図２】図１に図示した３波長対応光ピックアップに使用される光検出器の構成を示す概略平面図である。
【図３】図１に図示した３波長対応光ピックアップを、第２のビームスプリッタを分離した状態で、裏面側から見た部分斜視図である。
【図４】図３に示した光ピックアップを表面側から見た部分斜視図である。
【図５】図３に示した光ピックアップの部分水平断面図である。
【図６】図３に示した光ピックアップにおける、第２のビームスプリッタを搭載する部分における光学ベースの幅方向の断面図である。
【図７】図３に示した光ピックアップの部分側面図である。
【符号の説明】
【００５８】
１０      ３波長対応光ピックアップ
１１      １チップ型レーザダイオード
１２      青色レーザダイオード(第３のレーザダイオード)
１６      第１の回折格子（グレーティング）
１７      第２の回折格子（グレーティング）
２１      第１のビームスプリッタ
２３      第２のビームスプリッタ
２３ａ    被支持面
２７      立上げミラー（全反射ミラー）
２９      コリメータレンズ
３１      対物レンズ
３３      センサレンズ
３５      光検出器
３５−１    第１の受光部
３５−２    第２の受光部
４０      光学ベース
４０ａ    上面
４０ｂ    下面
４２    スプリッタ挿入孔
４３    側壁（支持面）
４６    上側塗布孔
４７    下側塗布孔
【図１】
2008130164.tif 000003
【図２】
2008130164.tif 000004
【図３】
2008130164.tif 000005
【図４】
2008130164.tif 000006
【図５】
2008130164.tif 000007
【図６】
2008130164.tif 000008
【図７】
2008130164.tif 000009